(57)【要約】【課題】メインスイッチを格納する場所を新たに設けることなく、また、メインスイッチと、コピー機能やファックス機能等の少なくとも一つの機能を切替えるためのスイッチとを有する場合であっても誤ってメインスイッチをオフしてしまう事を防ぐ画像形成装置を提供する。【解決手段】少なくともコピー機能とプリンタ機能を備え、装置に常時給電する第一のスイッチと、各機能の少なくとも一つの作動状態を切り替える第二のスイッチを備えるとともに、収容部９ｄに収納された収納姿勢と前記収容部９ｄから突出する運搬姿勢との間で姿勢変更自在な把持部材９ａを備えた画像形成装置であって、前記第一のスイッチが前記収容部９ｄに設置されている。【選択図】図３
2008216377.tif 000002
【特許請求の範囲】
【請求項１】
少なくともコピー機能とプリンタ機能を備え、装置に常時給電する第一のスイッチと、各機能の少なくとも一つの作動状態を切り替える第二のスイッチを備えるとともに、収容部に収納された収納姿勢と前記収容部から突出する運搬姿勢との間で姿勢変更自在な把持部材を備えた画像形成装置であって、
前記第一のスイッチが前記収容部に設置されている画像形成装置。
【請求項２】
前記第一のスイッチの状態にかかわらず装置への給電を遮断する第三のスイッチを備え、前記把手部材が前記運搬姿勢に姿勢変更されたときに、前記把手部材に連動して第三のスイッチが作動して給電を遮断するように構成されている請求項１記載の画像形成装置。
【発明の詳細な説明】
【技術分野】
【０００１】
本発明は、コピー機能、ファックス機能、プリンタ機能等の複数の機能のうち少なくとも二つの機能を備えた画像形成装置に関する。
【背景技術】
【０００２】
近年、複写機、ファクシミリ、プリンタ等の多機能複合機である画像形成装置が普及している。この種の画像形成装置は、複写機として使用するだけでなく、ネットワークで接続されたクライアントからの印刷要求に基づく印刷処理や、電話回線を介してファックスの送受信を行う等のファクシミリやプリンタとしての機能を備えている。
【０００３】
当該画像形成装置では、例えば、複写機機能やプリンタ機能を使用する場合は、必要な場合のみ通電しておけばよいが、ファクシミリ機能等を利用する場合、受信に備えるために常に通電しておく必要がある。このため、前記画像形成装置に給電する電源スイッチと、少なくとも一つの機能に対する給電状態を切替えるスイッチとを別途設け、常時給電を必要とするファクシミリ機能等を利用するための電源スイッチを当該画像形成装置のメインスイッチとして設け、前記メインスイッチをオフすると、当該画像形成装置への給電が遮断されるように構成されている。
【０００４】
上述した複写機やプリンタ等のへの給電状態を切替えるスイッチは、押しボタンキーの形態で操作パネルに設けられており、メインスイッチはトグルスイッチの形態で装置本体の側面に設けることが多い。
【０００５】
ところが、コピー機能のみの画像形成装置であるプリンタのみしか使用したことがないユーザ場合や、画像形成装置の操作に不慣れなユーザの場合、例えば、帰宅する際や印刷処理が終了した場合にメインスイッチをオフにしてしまうことがあり、デジタル複合機のような通電を必要とする画像形成装置の場合でもメインスイッチをオフにしてしまい、ファクシミリとして夜間の受信等をできなくしてしまう等の問題があった。
【０００６】
そこで特許文献１には、画像形成装置の側面の凹部にメインスイッチを設け、上下方向に回動開閉可能としたカバーで覆う構成が記載されている。カバーには樹脂製等からなる半透明な部材を用い、凹部内のメインスイッチが視認できるが、カバーを開けなければメインスイッチには触れることができない。ユーザが帰宅時等にうっかりメインスイッチをオフにしようとすると、まずカバーに触れ、その時点でユーザはメインスイッチをオフにするとファックス機能が使用できなくなることに気づき、改めてメインスイッチをオンのままとするか、オフとするかを判断することができるのである。
【特許文献１】特開平１１−２２０５５９号公報
【発明の開示】
【発明が解決しようとする課題】
【０００７】
しかしながら、特許文献１に記載された技術によれば、メインスイッチを格納するメインスイッチ収容部を新たに設ける必要があり、画像形成装置の内部のスペースを有効利用するという点で改善の余地があった。
【０００８】
本発明の目的は、上記の問題点に鑑み、メインスイッチを格納する場所を新たに設けることなく、また、メインスイッチと、コピー機能やファックス機能等の少なくとも一つの機能を切替えるためのスイッチとを有する場合であっても誤ってメインスイッチをオフしてしまう事を防ぐ画像形成装置を提供する点にある。
【課題を解決するための手段】
【０００９】
上記目的を達成するために、本発明による画像形成装置の第一の特徴構成は、特許請求の範囲の書類の請求項１に記載した通り、少なくともコピー機能とプリンタ機能を備え、装置に常時給電する第一のスイッチと、各機能の少なくとも一つの作動状態を切り替える第二のスイッチを備えるとともに、収容部に収納された収納姿勢と前記収容部から突出する運搬姿勢との間で姿勢変更自在な把持部材を備えた画像形成装置であって、前記第一のスイッチが前記収容部に設置されている点にある。
【００１０】
上述の構成によると、メインスイッチである第一のスイッチを、前記画像形成装置の機器本体に収納された収納姿勢から突出した運搬姿勢となるよう引き出される把持部材を有する前記収容部に設けることにより、ユーザは、誤って第一のスイッチをオフすることがないため、通電が必要なファックス機能等が使用できなくなるという状態を防ぐことができる。さらに、前記収容部に設けることにより、新たに第一のスイッチを設ける場所を確保する必要がなく既存の画像形成装置に容易にメインスイッチを設けることができる。
【００１１】
同第二の特徴構成は、同請求項２に記載した通り、上述の第一特徴構成に加えて、前記第一のスイッチの状態にかかわらず装置への給電を遮断する第三のスイッチを備え、前記把手部材が前記運搬姿勢に姿勢変更されたときに、前記把手部材に連動して第三のスイッチが作動して給電を遮断するように構成されている点にある。
【００１２】
上述の構成によれば、例えば画像形成装置を移動させるとき、前記把手部材が運搬姿勢となると、前記第三のスイッチが作動して、前記第一のスイッチの状態にかかわらず前記画像形成装置への給電を遮断するため、前記画像形成装置を運搬するときに確実に前記画像形成装置のメインスイッチをオフすることができる。
【発明の効果】
【００１３】
本発明によれば、メインスイッチを格納する場所を新たに設けることなく、また、メインスイッチと、コピー機能やファックス機能等の少なくとも一つの機能を切替えるためのスイッチとを有する場合であっても誤ってメインスイッチをオフしてしまう事を防ぐ画像形成装置を提供することができるようになった。
【発明を実施するための最良の形態】
【００１４】
以下、本発明による画像形成装置としてコピー機能、ファックス機能、プリンタ機能等の機能を備えたデジタル複写機に適用される場合の実施形態を説明する。
【００１５】
前記複写機１は、図１に示すように、複写メニューを設定する複数のメニューキー等が表示され各メニューキーに対する操作を検出する液晶タッチパネル３、設定された複写メニューで複写動作を起動するスタートキーや各機能の少なくとも一つの作動状態を切り替える第二のスイッチである作動状態切替キー４等が配置される操作部５と、原稿載置部にセットされた一連の原稿を順次読み込んで電子データに変換する画像読取部６と、前記画像読取部６によって電子データに変換された画像データ、外部ＦＡＸから送信される画像データ、クライアントであるＰＣから送信される画像データ等に基づいて用紙上にトナー像を形成して出力する電子写真方式の画像形成部１０と、正面からの挿抜が可能となるように取付けられる給紙カセット７と、印字後に排出される用紙を収容する排紙トレイ２等の各機能ブロック及びそれら機能ブロックを統合制御する制御部（図示せず）を備えて構成されている。
【００１６】
さらに、前記複写機１は、前記複写機１の側面に引き出し可能に設けられたスライド運搬用レバー８と、前記複写機１の本体に垂直方向に回動可能な把持部材を収納するカバーを備えた収容部９とを備えて構成されている。
【００１７】
前記複写機１を運搬するときは、図２に示すように、前記複写機１内部に収容された前記スライド運搬用レバー８を水平方向にスライドさせ、前記カバー９ｃを開き、前記収容部９に収容された把持部材９ａを収納姿勢から回動して水平方向に突出させ運搬姿勢とさせるように構成されている。
【００１８】
前記収容部９は、図３に示すように、垂直に収納された収納姿勢から回動して水平に突出した運搬姿勢となる把持部材９ａと、前記複写機１本体に常時給電する第一のスイッチである前記複写機１のメインスイッチ９ｂと、前記把持部材９ａと前記メインスイッチ９ｂを収納する収納部９ｃと、前記収納部９ｄをカバーするカバー９ｃとで構成されている。前記メインスイッチ９ｂは、前記把時部材９ａを収納姿勢としたとき、把持部材９ａの内側となるよう前記屈曲板９１に配置されている。
【００１９】
前記収納部９ｄは、折返し部９０と、前記折返し部９０の裏面と前記折返し部９０と直角をなす側板の外面とに跨って取り付けられた二段Ｌ字形状の屈曲板９１とで囲まれる領域に構成されている。前記屈曲板９１の下端はベース部材９２の上面に当接するように構成されている。前記屈曲板９１の上端は前記収納部９ｄの奥壁となる部分を含む略半分が所定の高さでＬ字形状に切り欠かれ、切り欠かれた前記屈曲板９１の屈曲板上辺部９１ａの高さ位置は、水平様態の前記把持部材９ａの底壁の外面と面一となる高さとなるように構成されている。
【００２０】
前記屈曲板上辺部９１ａには、前記把持部材９ａが運搬姿勢となった場合、前記メインスイッチ９ｂの状態にかかわらず複写機１への給電を遮断する第三のスイッチであるマイクロスイッチで構成される遮断スイッチＳを備え、前記把手部材９ａが前記運搬姿勢に姿勢変更されたときに、前記把手部材９ａに連動して前記遮断スイッチＳが作動して給電を遮断する。
【００２１】
前記折返し部９０の収納部９ｄが形成される部分には、前記把持部材９ａが回動して突出される縦長の短形の開口９３が形成されるよう構成されている。
【００２２】
前記把持部材９ａは、板金をコの字状に折り曲げ製作される棒状の部材で構成されている。前記把持部材９ａの両側壁の長手方向における一端には支点穴９４ａが対向位置に貫通して設けられており、前記収納部９ｄの上部において、前記把持部材９ａは、前記支点穴９４ａに挿通される支点ピン９４ｂによって回動可能に支持して収納されるよう構成されている。
【００２３】
また、前記把持部材９ａの両側壁の上面には、長手方向において支点穴９４ａの近傍であって他端よりの位置には、略水平状態で折返し部９０の開口９３の上辺部９３ａと係合する溝９５が切り欠き形成され、前記溝９５の一端面には、前記係合位置で、前記把持部材９ａの回動中に折返し部９０の開口９３の開口上辺部９３ａと干渉する曲面形状の干渉部９５ａが形成されるよう構成されている。
【００２４】
さらに、前記把持部材９ａの底壁の長手方向における両端部には突出片が一体形成されており、これを下向きに略直角に曲げることにより、図４に示すように、前記把持部材９ａの水平状態で、屈曲板９１の奥壁の屈曲板上辺部９１ａと係合する係合片９６を形成して構成され、前記係合片９６により、前記屈曲板上辺部９１ａに設けられた前記遮断スイッチＳのスイッチがオンとなり、前記メインスイッチ９ｂの状態にかかわらず複写機１への給電を遮断する。
【００２５】
前記複写機１の給電回路は、図５に示すように、商用電源に接続するプラグＰと、前記プラグＰとケーブルを介して接続された一次巻線１１と二次巻線１２とからなる電源トランスＴＲと、前記一次巻線１１とプラグＰの間に直列に設けられた前記複写機１のメインスイッチ９ｂと遮断スイッチＳとを備えて構成され、前記電源トランスにより降圧された二次側電圧をＡＣ／ＤＣコンバータにより直流電圧に変換して前記複写機１の各機器へ給電されるように構成されている。
【００２６】
メインスイッチ９ｂがオンされているとき前記把持部材９ａが収納姿勢の場合、図５（ａ）に示すように、第三のスイッチである遮断スイッチＳはオンの状態であるため、前記複写機１への給電は行われている。しかし、図５（ｂ）に示すように、メインスイッチ９ｂがオンの状態であっても、前記把時部材９ａが運搬姿勢となった場合、前記遮断スイッチＳのスイッチがオンとなるため、前記複写機１への給電は遮断される。
【００２７】
運搬姿勢の場合、前記複写機１への給電が遮断されることにより、運搬時、機器内部へ誤って手等を挿入してしまい感電してしまうことや、ローラ等が作動することにより巻き込みなどの事故を防ぐことができる。
【００２８】
以下に別実施形態について説明する。
【００２９】
上述した実施形態では、把持部材９ａが収納姿勢にあるときに収納部９ｄをカバーする開閉自在なカバー９ｃを設けたものを説明したが、収納部９ｄに収納された把持部材９ａがカバーとなるように構成されるものであってもよい。この場合、例えば、断面がコの字型に曲げ加工された把持部材９ａの凹部表面に装置の化粧カバーと同色に塗装された板金等を取り付けることにより実現できる。
【００３０】
上述した実施形態では、前記メインスイッチ９ｂが把持部材９ａの内側に配置された構成を説明したが、前記メインスイッチは、図６に示すように、前記メインスイッチ９ｂが前記把持部材９ａの短手方向の側方に配置するように構成することも可能であり、前記メインスイッチは、前記収容部９内の何れかに設けてあればよい。
【００３１】
上述した実施形態では、前記複写機１の本体に垂直方向に回動可能な把持部材９ａを説明したが、前記把持部材はスライド式など、収納姿勢と運搬姿勢との間で姿勢変更自在なものであればよい。
【００３２】
上述した実施形態では、スライド運搬用レバーと把持部材により運搬する構成を説明したが、スライド運搬レバーに限るものではなく、把持部材と同じ回動して水平に突出した運搬姿勢となる運搬レバー等であってもよい。
【００３３】
上述した実施形態では、マイクロスイッチで構成される遮断スイッチＳを前記屈曲板上辺部９１ａに設けたものを説明したが、前記遮断スイッチＳを開口上辺部９３ａに設けるように構成してもよい。さらに、遮断スイッチＳはマイクロスイッチに限るものではなく、前記把持部材９ａが運搬姿勢となると電源の供給を遮断スイッチであればよい。
【００３４】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００３５】
【図１】デジタル複写機の概略の構成を示す説明図
【図２】デジタル複写機の概略の構成を示す説明図
【図３】（ａ）把手装置の側面側の説明図，（ｂ）把手装置の正面側の説明図
【図４】把手装置の説明図
【図５】給電回路の説明図
【図６】別実施形態を示し、（ａ）把手装置の側面側の説明図，（ｂ）把手装置の正面側の説明図
【符号の説明】
【００３６】
９：収容部
９ａ：把持部材
９ｂ：メインスイッチ
９ｃ：カバー
９ｄ：収納部
９０：折返し部
９１：屈曲板
９１ａ：屈曲板上辺部
９２：ベース部材
９３：開口
９３ａ：開口上辺部
９４ａ：支点穴
９４ｂ：支点ピン
９５：溝
９５ａ：干渉部
９６：係合片
【図１】
2008216377.tif 000003
【図２】
2008216377.tif 000004
【図３】
2008216377.tif 000005
【図４】
2008216377.tif 000006
【図５】
2008216377.tif 000007
【図６】
2008216377.tif 000008